(57)【特許請求の範囲】
【請求項１】
マンホールの上方開口縁の内周壁に固定され、水平な支軸を備える基台と、突出する脚部を備えるタラップ本体と、前記脚部にその長手方向へ形成されて前記支軸が挿通され、前記タラップ本体を長手方向へ直線移動可能でかつ前記支軸回りに垂直面内で回動可能とする長穴と、前記タラップ本体ないし前記脚部に形成されたガイド面とを具備し、前記脚部を起立させた状態で前記タラップ本体を下方へ直線移動させた時に前記ガイド面が前記上方開口縁に当接して、その反力によって前記タラップ本体が前記支軸を中心にマンホール内方へ押しやられて前記脚部先端がマンホールの内周壁に圧接させられて、マンホール外で起立した使用姿勢で前記タラップ本体が位置決めされることを特徴とするマンホールのタラップ装置。
【請求項２】
前記タラップ本体は、側面視で三角形の枠部を両側に備えて、これら枠部の少なくとも二つの頂点間に掴みバーが架設され、使用姿勢で起立した三角形の各枠部の底辺の一端に、下方へ突出する前記脚部が形成されている請求項１に記載のマンホールのタラップ装置。
【請求項３】
前記枠部の底辺の中間位置に下方へ三角形状に突出するガイド突起が形成されてその斜面の一方が前記ガイド面となっている請求項２に記載のマンホールのタラップ装置。
【発明の詳細な説明】
【技術分野】
【０００１】
本発明は作業員がマンホール内へ出入する際に身体を支持させるためのタラップ装置に関する。
【背景技術】
【０００２】
例えば特許文献１には、この種のタラップ装置として、柵状のタラップ枠をマンホールの上方開口縁に上下方向へ回動可能に設けて、開口を覆うようにマンホール内で水平に倒れた収納姿勢からタラップ枠をマンホール外で起立した使用姿勢へ引き起こして、マンホール内へ出入する際に、起立したタラップ枠を掴んで身体を支持させるようにしたものが示されている。  
【特許文献１】特開２００３−３３６２７６
【発明の開示】
【発明が解決しようとする課題】
【０００３】
ところで、上記従来のタラップ装置では、タラップ枠を起立姿勢で位置決めしておくのにその基端部に設けた係合ピンを、マンホール側に設けた係止板のピン嵌合孔内に挿入嵌合させるようにしている。しかし、これによると、タラップ枠をガタつくことなく起立保持させるためには、ピン嵌合孔の内径を係合ピンの外径にほぼ等しくしておく必要があり、このため、係合ピンをピン嵌合孔内に挿入するのに難渋して、作業性が悪いという問題があった。
【０００４】
そこで本発明はこのような課題を解決するもので、起立した使用姿勢にタラップ本体を容易に位置決めすることができて作業性に優れるマンホールのタラップ装置を提供することを目的とする。
【課題を解決するための手段】
【０００５】
上記目的を達成するために、本第１発明では、マンホール（Ｍ）の上方開口縁（Ｍ１）の内周壁に固定され、水平な支軸（２２，２３，２４）を備える基台（１）と、突出する脚部（４１）を備えるタラップ本体（４）と、脚部（４１）にその長手方向へ形成されて支軸（２２〜２４）が挿通され、タラップ本体（４）を長手方向へ直線移動可能でかつ支軸（２２〜２４）回りに垂直面内で回動可能とする長穴（４１１）と、タラップ本体（４）ないし脚部（４１）に形成されたガイド面（４３ａ）とを具備し、脚部（２２〜２４）を起立させた状態でタラップ本体（４）を下方へ直線移動させた時にガイド面（４３ａ）が上方開口縁（Ｍ１）に当接して、その反力によってタラップ本体（４）が支軸（２２〜２４）を中心にマンホール（Ｍ）内方へ押しやられて脚部（４１）先端がマンホール（Ｍ）の内周壁に圧接させられて、マンホール（Ｍ）外で起立した使用姿勢でタラップ本体（４）が位置決めされる。
【０００６】
本第１発明においては、マンホール外へ引き上げたタラップ本体を下方へ直線移動させるだけで、マンホール外で起立した使用姿勢でタラップ本体がガタを生じることなく確実に位置決めされるから、従来のように係合ピンをピン嵌合孔内に挿入するのに比して、マンホール点検時の作業性が格段に向上する。
【０００７】
本第２発明では、 上記タラップ本体（４）は、側面視で三角形の枠部（４２）を両側に備えて、これら枠部（４２）の少なくとも二つの頂点間に掴みバー（４４）が架設され、使用姿勢で起立した三角形の各枠部（４２）の底辺の一端に、下方へ突出する上記脚部（４１）が形成されている。
【０００８】
本第２発明においては、タラップ本体の枠部を三角形の作業標識の形状にしたから、これを赤色で着色しておけば、作業中であることを容易に報知することができる。また、角形の枠部の頂点間に架設した掴みバーが、タラップ本体を起立する使用姿勢とした時に適度な間隔で上下に位置して、マンホールへの出入を容易にする。
【０００９】
本第３発明では、上記枠部（４２）の底辺の中間位置に下方へ三角形状に突出するガイド突起（４３）が形成されてその斜面の一方が上記ガイド面（４３ａ）となっている。
【００１０】
本第３発明においては、ガイド面の当接時に受ける反力を脚部先端に効率的に作用させることができる。
【００１１】
なお、上記カッコ内の符号は、後述する実施形態に記載の具体的手段との対応関係を示すものである。
【発明の効果】
【００１２】
以上のように、本発明のマンホールのタラップ装置によれば、起立した使用姿勢にタラップ本体を容易に位置決めして、迅速な作業を行うことができる。
【発明を実施するための最良の形態】
【００１３】
図１にはマンホールＭの上方開口縁Ｍ１に設置されたタラップ装置Ｅの側面図を示し、図２にはその正面図を示す。また、図３にはタラップ装置Ｅの斜視図を示す。タラップ装置Ｅは長方形の板状基台１を備えており、当該基台１がマンホールＭの上方開口縁Ｍ１の内周壁にボルト１１で固定されている。基台１の板面には左右位置に板状の支持脚２が突設されて屈曲しつつマンホールＭ内の下方へ延びている。左右の支持脚２の先端間には支持バー２１が架設されており、当該支持バー２１は作業者がマンホールＭ内へ出入する際に足や手を掛けるのに使用される。支持バー２１はマンホールＭの内周壁に突設された最上段のステップバー３に対して所定の間隔でその上方に位置している。ステップバー３は平面視でコ字形に屈曲成形されてその両端がマンホールＭの内周壁に固定され、上下方向へ間隔を置いてマンホールＭの底壁に至るまで複数設けられている。
【００１４】
左右の上記支持脚２には各基端部に支軸を構成するボルト２２（図４）が設けてある。これらボルト２２は支持脚２の基端部に設けた通孔に内方から水平に挿通され、ワッシャ２３を介してタラップ本体４の左右の脚部４１がボルト２２に装着されている。タラップ本体４は側面視で三角形に成形された板状の枠部４２（図１）を左右位置に備えており、各枠部４２の底辺中間位置には下方へ三角形状に突出するガイド突起４３が形成されている。このガイド突起４３のマンホールＭ中心から遠い側の、外側斜面はガイド面４３ａとなっている。
【００１５】
左右の枠部４２の各頂点間には掴みバー４４および引掛けバー４５が架設されている。掴みバー４４と上記支持バー２１は同様の構造としてあり、図５（１）に示す樹脂製の角型穴開き棒材５１の両側面と上面を、図５（２）に示すように、略コ字断面に成形された梨地等の模様鋼板のカバー体５２で覆った構造となっている。ここで、穴開き棒材５１の下面には滑り止めとして長手方向へ多数の三角溝５１１が形成されている。なお、引掛けバー４５は金属製の丸棒体である。また、左右の上記各枠部４２の外側面には反射ステッカーを貼っておくと良い。
【００１６】
タラップ本体４の枠部４２底辺の一端から下方へ、長板状の上記脚部４１が突出している。脚部４１の先端側の半部にはその長手方向へ長穴４１１が形成されており、これら長穴４１１に各支持脚２に設けた上記ボルト２２が挿通されて、その外側から袋ナット２４（図４）が締結されている。このような構造により、タラップ本体４は脚部４１の長手方向へ長穴４１１に沿って直線移動可能であるとともに、ボルト２２を中心として垂直面内で回動可能である。
【００１７】
このような構造のタラップ装置Ｅを使用する場合には、ボルト２２回りにタラップ本体４を上方のマンホールＭ外へ旋回させて図１〜図３の実線で示すように脚部４１を起立させ、この状態で脚部４１の長穴４１１に沿ってタラップ本体４を自重で下方へ直線移動（下降）させる。この下降途中でガイド突起４３のガイド面４３ａが、マンホールＭの上方開口縁Ｍ１の段付部に装着されたＬ型鋼Ｘの縦壁頂面に当接する。その反力を受けたタラップ本体４はボルト２２を中心にマンホールＭの内方へ押しやられ、この結果、脚部４１の先端がマンホールＭの内周壁に設けた基台１の板面に圧接させられる。ガイド面４３ａと脚部４１先端がボルト２２を中心に互いに反対方向の旋回反力を受けることによって、タラップ本体４は、マンホールＭ外で起立する図１〜図３に示す使用姿勢でガタつくことなく位置決めされる。この状態で作業員は、タラップ本体４の掴みバー４４や支持バー２１を使用して身体を保持しつつ安全にマンホールＭへの出入を行うことができる。
【００１８】
タラップ本体４を収納する場合にはこれを手で持って引き上げ、脚部４１の長穴４１１に沿ってタラップ本体４を上方へ直線移動（上昇）させると、ガイド面４３ａとＬ型鋼Ｘの当接が解消され、この結果、脚部４１先端と基台１板面との圧接状態も解消される。ボルト２２が相対移動して長穴４１１の下端へ至るまでタラップ本体４を上昇させた後、ボルト２２回りにタラップ本体４を下方へ旋回させて、図１、図３の鎖線で示すように、マンホールＭ内へ転倒退入した収納姿勢とする。なお、この収納状姿勢から再び使用姿勢へ引き上げ旋回させる際に、図６に示すような、先端６１を鉤状に屈曲させた操作棒６を使用して、その先端６１を、収納姿勢のタラップ本体４の引掛けバー４５に係止させて引き上げるようにすれば作業がより容易となる。  
【００１９】
以上のように、本実施形態のタラップ装置Ｅによれば、マンホールＭ外へ引き上げたタラップ本体４を自重で下降させるだけで、ガイド面４３ａとＬ型鋼Ｘとの、および脚部４１先端と基台１板面との当接によってタラップ本体４はガタを生じることなく確実に位置決めされ、マンホール点検時の作業性が格段に向上する。また、タラップ本体４の枠部４２を三角形の作業標識の形状にしたから、これを赤色で着色しておけば、作業中であることを容易に報知することができる。この場合、前述したように枠部４２の外側面に反射ステッカーを貼っておけば、さらにその効果は著しい。加えて、三角形の枠部４２の頂点間に架設した掴みバー４４が、タラップ本体４を起立する使用姿勢とした時に適度な間隔で上下に位置して、マンホールＭへの出入を容易にする。
【００２０】
なお、上記実施形態において、ガイド面４３ａは脚部４１に形成することもできる。また、基台１に設けた支持脚２と支持バー２１は必須のものではない。また、引掛けバー４５を掴みバー４４と同一構造にしても良い。
【図面の簡単な説明】
【００２１】
【図１】本発明の一実施形態を示す、マンホールの上方開口縁に設置されたタラップ装置の側面図である。
【図２】マンホールの上方開口縁に設置されたタラップ装置の正面図である。
【図３】マンホールの上方開口縁に設置されたタラップ装置の斜視図である。
【図４】支軸の分解斜視図である。
【図５】掴みバー等の構造を示す斜視図である。
【図６】操作棒の斜視図である。
【符号の説明】
【００２２】
１…基台、２…支持脚、２２…ボルト、２３…ワッシャ、２４…袋ナット、４…タラップ本体、４１…脚部、４１１…長穴、４２…枠部、４３…ガイド突起、４３ａ…ガイド面、４４…掴みバー、Ｍ…マンホール、Ｍ１…上方開口縁。
【図１】
0004756981.tif 000002
【図２】
0004756981.tif 000003
【図３】
0004756981.tif 000004
【図４】
0004756981.tif 000005
【図５】
0004756981.tif 000006
【図６】
0004756981.tif 000007